(57)【要約】【課題】原稿画像中にある表題欄の位置を考慮して原稿の読み取りを実施しなくても、原稿画像が複写される記録媒体を折り畳む場合に適切な位置に表題欄が配置されるように、画像を形成できるようにする。【解決手段】相対移動する原稿から読取部が読み取った原稿画像に基づき、該原稿画像中にある表題欄の原稿の移動方向に対する位置を推定する推定部と、前記原稿画像が複写される記録媒体の寸法及び該記録媒体の折り畳み種類から決定される表題欄の該記録媒体の搬送方向に対する適正位置と、前記推定部が推定した前記位置と、が一致していない場合に、該適正位置と該位置とが一致するように前記原稿画像の画像データを回転処理する処理部と、を備える画像処理装置。【選択図】図１４
2014023051.tif 000002
【特許請求の範囲】
【請求項１】
相対移動する原稿から読取部が読み取った原稿画像に基づき、該原稿画像中にある表題欄の原稿の移動方向に対する位置を推定する推定部と、
前記原稿画像が複写される記録媒体の寸法及び該記録媒体の折り畳み種類から決定される表題欄の該記録媒体の搬送方向に対する適正位置と、前記推定部が推定した前記位置と、が一致していない場合に、該適正位置と該位置とが一致するように前記原稿画像の画像データを回転処理する処理部と、
を備える画像処理装置。
【請求項２】
前記推定部は、前記原稿の図面規格によって決まる表題欄の原稿画像に対する位置と、前記原稿画像から推定した原稿の天地と、に基づき前記表題欄の前記位置を推定する請求項１に記載の画像処理装置。
【請求項３】
前記推定部は、前記原稿画像中の文字の向きに基づき、前記原稿の天地を推定する請求項２に記載の画像処理装置。
【請求項４】
前記推定部は、前記原稿画像中における図示される領域外に記載された文字の向きに基づき、前記原稿の天地を推定する請求項３に記載の画像処理装置。
【請求項５】
前記推定部は、前記原稿画像中の枠内にある四角形の線画像に基づき、前記表題欄の前記位置を推定する請求項１〜４のいずれか１項に記載の画像処理装置。
【請求項６】
前記推定部は、前記枠内に複数の線画像がある場合に、該複数の線画像の大きさと、予め記憶された線画像の大きさと、を比較して前記表題欄の前記位置を推定する請求項５に記載の画像処理装置。
【請求項７】
前記読取部と、
前記処理部が回転処理した画像データに基づき、前記記録媒体に画像を形成する画像形成部と、
前記画像形成部によって画像が形成された記録媒体を前記折り畳み種類によって折り畳む折り畳み部と、
を備える請求項１〜６のいずれか１項に記載の画像処理装置。
【請求項８】
コンピュータを、
相対移動する原稿から読取部が読み取った原稿画像に基づき、該原稿画像中にある表題欄の原稿の移動方向に対する位置を推定する推定部、
前記原稿画像が複写される記録媒体の寸法及び該記録媒体の折り畳み種類から決定される表題欄の該記録媒体の搬送方向に対する適正位置と、前記推定部が推定した前記位置と、が一致していない場合に、該適正位置と該位置とが一致するように前記原稿画像の画像データを回転処理する処理部、
として機能させる画像処理プログラム。
【発明の詳細な説明】
【技術分野】
【０００１】
本発明は、画像処理装置、画像処理プログラムに関する。
【背景技術】
【０００２】
特許文献１には、画像読取装置で読み取った画像データの向きと、実際に適用される記録用紙の排出時の向きとを比較することで、表題の位置が最適化されるように、画像データを９０°単位で回転し、画像形成装置によって画像形成する前に、選択された記録用紙に合わせて画像データを調整する構成が開示されている。
【先行技術文献】
【特許文献】
【０００３】
【特許文献１】特開２０１２−２８９０５号公報
【発明の概要】
【発明が解決しようとする課題】
【０００４】
本発明は、原稿画像中にある表題欄の位置を考慮して原稿の読み取りを実施しなくても、原稿画像が複写される記録媒体を折り畳む場合に適切な位置に表題欄が配置されるように、画像を形成できるようにすることを課題とする。
【課題を解決するための手段】
【０００５】
請求項１の発明は、相対移動する原稿から読取部が読み取った原稿画像に基づき、該原稿画像中にある表題欄の原稿の移動方向に対する位置を推定する推定部と、前記原稿画像が複写される記録媒体の寸法及び該記録媒体の折り畳み種類から決定される表題欄の該記録媒体の搬送方向に対する適正位置と、前記推定部が推定した前記位置と、が一致していない場合に、該適正位置と該位置とが一致するように前記原稿画像の画像データを回転処理する処理部と、を備える画像処理装置である。
【０００６】
請求項２の発明は、前記推定部は、前記原稿の図面規格によって決まる表題欄の原稿画像に対する位置と、前記原稿画像から推定した原稿の天地と、に基づき前記表題欄の前記位置を推定する請求項１に記載の画像処理装置である。
【０００７】
請求項３の発明は、前記推定部は、前記原稿画像中の文字の向きに基づき、前記原稿の天地を推定する請求項２に記載の画像処理装置である。
【０００８】
請求項４の発明は、前記推定部は、前記原稿画像中における図示される領域外に記載された文字の向きに基づき、前記原稿の天地を推定する請求項３に記載の画像処理装置である。
【０００９】
請求項５の発明は、前記推定部は、前記原稿画像中の枠内にある四角形の線画像に基づき、前記表題欄の前記位置を推定する請求項１〜４のいずれか１項に記載の画像処理装置である。
【００１０】
請求項６の発明は、前記推定部は、前記枠内に複数の線画像がある場合に、該複数の線画像の大きさと、予め記憶された線画像の大きさと、を比較して前記表題欄の前記位置を推定する請求項５に記載の画像処理装置である。
【００１１】
請求項７の発明は、前記読取部と、前記処理部が回転処理した画像データに基づき、前記記録媒体に画像を形成する画像形成部と、前記画像形成部によって画像が形成された記録媒体を前記折り畳み種類によって折り畳む折り畳み部と、を備える請求項１〜６のいずれか１項に記載の画像処理装置である。
【００１２】
請求項８の発明は、コンピュータを、相対移動する原稿から読取部が読み取った原稿画像に基づき、該原稿画像中にある表題欄の原稿の移動方向に対する位置を推定する推定部、前記原稿画像が複写される記録媒体の寸法及び該記録媒体の折り畳み種類から決定される表題欄の該記録媒体の搬送方向に対する適正位置と、前記推定部が推定した前記位置と、が一致していない場合に、該適正位置と該位置とが一致するように前記原稿画像の画像データを回転処理する処理部、として機能させる画像処理プログラムである。
【発明の効果】
【００１３】
本発明の構成によれば、原稿画像中にある表題欄の位置を考慮して原稿の読み取りを実施しなくても、原稿画像が複写される記録媒体を折り畳む場合に適切な位置に表題欄が配置されるように、画像を形成できる。
【図面の簡単な説明】
【００１４】
【図１】本実施形態に係る画像処理装置の構成を示す斜視図である。
【図２】本実施形態に係る画像形成装置の構成を示す斜視図である。
【図３Ａ】本実施形態に係る第１折りの手順を示す説明図である。
【図３Ｂ】本実施形態に係る第２折りの手順を示す説明図である。
【図４】紙折りが実施される記録用紙のサイズと紙折り種類とから決まる用紙の搬送方向に対する表題欄の最適な位置を示す表である。
【図５】表題欄の位置が「左下」である場合を示す説明図である。
【図６】表題欄の位置が「右上」である場合を示す説明図である。
【図７】表題欄の位置が「左上」である場合を示す説明図である。
【図８】表題欄の位置が「右下」である場合を示す説明図である。
【図９】本実施形態に係るメインコントロール部を中心とする制御ブロック図である。
【図１０】本実施形態に係るメインコントロール部における画像データ回転処理制御のための機能ブロック図である。
【図１１】原稿の図面規格によって決まる表題欄の原稿画像に対する位置を示す表である。
【図１２】原稿の図面規格ごとの表題欄の原稿画像に対する位置を示す説明図である。
【図１３】原稿における図示される領域外を示す説明図である。
【図１４】画像データが回転処理される例を示す説明図である。
【図１５】本実施形態に係る画像データ回転処理制御の手順を示すフローチャートである。
【発明を実施するための形態】
【００１５】
以下に、本発明に係る実施形態の一例を図面に基づき説明する。
【００１６】
（画像処理装置１０の構成）
まず、本実施形態に係る画像処理装置１０の構成を説明する。図１は、本実施形態に係る画像処理装置１０の構成を示す斜視図である。
【００１７】
図１に示されるように、画像処理装置１０は、原稿の画像を読み取る読取部の一例としての画像読取装置１２と、画像読取装置１２によって読み取られた原稿の画像に基づき記録用紙（記録媒体の一例）に画像を形成可能な画像形成部の一例としての画像形成装置１４と、を備えている。さらに、画像処理装置１０は、画像形成装置１４によって画像が形成された記録用紙を折り畳む折り畳み部の一例としての紙折り装置１６と、画像読取装置１２、画像形成装置１４及び紙折り装置１６を制御する制御装置１５と、を備えている。
【００１８】
なお、本実施形態の画像処理装置１０は、比較的大型サイズの原稿及び記録用紙を処理可能（画像読取可能及び画像形成可能）となっている。すなわち、一般オフィスに設置されている画像形成装置（プリンタ）が、通常はＪＩＳ規格でＡ３サイズが最大処理可能サイズであるのに対して、本実施形態の画像処理装置１０は、Ａ３サイズより大きいサイズ（例えば、Ａ０、Ａ１、Ａ２サイズ等）も処理可能となっている。しかしながら、画像処理装置１０が処理対象とする原稿及び記録用紙のサイズは、限定されるものではない。
【００１９】
また、画像処理装置１０は、図１における−Ｘ方向側が装置前方側（フロント側）となっており、この装置前方側から作業者がアクセスして、原稿のセットなどの作業を行うようになっている。
【００２０】
（画像読取装置１２）
画像読取装置１２は、ラインセンサ（図示省略）を有する画像読取部１８と、画像読取部１８へ送り込む原稿をセットする原稿テーブル２０と、原稿の位置合わせのための原稿ガイド２２と、画像読取部１８によって画像が読み取られた原稿が排出される原稿排出口２４と、原稿排出口２４から排出された原稿を装置前面側（−Ｘ方向側）へ案内するＵターン排出ガイド２６と、を備えている。
【００２１】
この画像読取装置１２では、作業者によって原稿テーブル２０に原稿がセットされると、原稿を画像読取部１８へ例えば定速度で搬送し、この搬送（副走査）と画像読取部１８のラインセンサ（図示省略）による主走査とにより、当該原稿に記録された画像が読み取られるようになっている。
【００２２】
画像読取装置１２で画像が読み取られる原稿としては、例えば、表題欄９４を有する原稿９２（図１３参照）が用いられる。表題欄９４を有する原稿９２としては、例えば、土木、建築、機械などの構造や設計等を示す図面がある。なお、表題欄９４は、図面を特定するための名称や番号等の識別情報が記録されており、目次にもなり得るものである。
【００２３】
なお、画像読取装置１２としては、画像読取部１８が原稿に対して移動して原稿画像を読み取る構成であってもよく、原稿と画像読取部１８とを相対移動させて原稿画像を読み取る構成であればよい。
【００２４】
（画像形成装置１４）
図２に示されるように、画像形成装置１４は、記録媒体としての記録用紙を収容する複数の用紙収容部５０、５２、５４と、記録用紙に画像を形成する画像形成部４４と、画像が形成された記録用紙が排出される排出口４０と、排出口４０から排出された記録用紙が積載収容される収容部４２と、を備えている。
【００２５】
複数の用紙収容部５０、５２、５４は、上下方向に沿って配置されている。上段の用紙収容部５０及び中段の用紙収容部５２は、ロール紙（芯材に円筒状に巻き付けられた記録用紙）を収容し、下段の用紙収容部５４は、カット紙（予め指定されたサイズに切断された断片紙）を収容するようになっている。上段の用紙収容部５０及び中段の用紙収容部５２に収容されたロール紙は、予め指定されたサイズに裁断されて使用されるようになっている。用紙収容部５０、５２、５４は、作業者が、把持部７０に指を引っ掛けて、引き出し操作がなされるようになっている。
【００２６】
上段の用紙収容部５０、中段の用紙収容部５２のそれぞれの図２の右側には、それぞれトレイ操作パネル６０、６２が設けられている。トレイ操作パネル６０、６２は、ロール紙５６に収容されている用紙の種類や残量を表示するようになっている。トレイ操作パネル６０、６２の下方には、本装置の主電源スイッチ６６が設けられている。
【００２７】
画像形成部４４は、トナー画像が形成される感光体ドラム（図示省略）と、感光体ドラムから転写されたトナー画像を記録用紙に定着する定着部（図示省略）と、を有している。画像形成部４４では、用紙収容部５０、５２、５４のいずれかから送り出された記録用紙に対して、感光体ドラム（図示省略）から、トナー画像が転写され、感光体ドラムから転写されたトナー画像を定着部（図示省略）が記録用紙に定着するようになっている。なお、記録用紙がロール紙である場合は、当該ロール紙に対して画像が形成される前に、又は、画像が形成された後に、予め指定されたサイズに裁断されるようになっている。
【００２８】
（紙折り装置１６）
図１に示されるように、紙折り装置１６は、記録用紙７２（図３Ａ参照）を搬送すると共に、記録用紙７２に形成された画像の表題欄（特定画像）７４が最前面（図３Ａにおける「完成形」参照）に位置するように、当該記録用紙７２を折り畳む装置である。具体的には、紙折り装置１６は、搬送方向と直交する方向に沿った折り（谷折り及び山折り）を行った後、搬送方向に沿った折り（谷折り及び山折り）を行うようになっている。また、折り畳まれた記録用紙７２は、収容部６８に収容されるようになっている。
【００２９】
紙折り装置１６では、複数の種類の折りを実施可能となっている。具体的には、紙折り装置１６は、図３Ａに示される第１折り（ファン折り）と、当該第１折りとは異なる第２折り（図３Ｂ参照）及び第３折りを実施可能となっている。なお、図３Ａ及び図３Ｂにおける破線は谷折りを示し、実線は山折りを示す。
【００３０】
このとき、紙折りが実施される記録用紙７２のサイズ（画像形成装置１４から出力される記録用紙７２のサイズ）と、紙折り種類とにより、図４の表に示されるように、用紙の搬送方向に対する表題欄７４の最適な位置が一義的に決まる。なお、第２折り及び第３折りでは、Ａ１横、Ａ２横、Ａ３横において、適切な折り（表題欄が最前面にくる折り）にならない。このため、Ａ１、Ａ２及びＡ３のサイズに対して、第２折り及び第３折りを実施する場合は、Ａ１縦、Ａ２縦、Ａ３縦のサイズで画像形成装置１４から出力して、紙折りを実施するようになっている。
【００３１】
紙折りが実施される記録用紙７２のサイズとしては、図４の表に示されるように、例えば、Ａ０縦、Ａ１縦、Ａ２縦、Ａ３縦、Ａ１横、Ａ２横、Ａ３横がある。なお、「縦」とは、記録用紙７２の長手方向が搬送方向に沿った状態で記録用紙７２が搬送される場合を示す（図５、６参照）。すなわち、「縦」とは、記録用紙７２の搬送方向に沿った長さが、搬送方向に直交する長さよりも長いサイズを言う。
【００３２】
また、「横」とは、記録用紙７２の短手方向が搬送方向に沿った状態で記録用紙７２が搬送される場合を示す（図７、８参照）。すなわち、「横」とは、記録用紙７２の搬送方向に沿った長さが、搬送方向に直交する長さよりも短いサイズを言う。
【００３３】
ここで、図４の表における「上」は、記録用紙７２の搬送方向下流側を意味し、「下」は、記録用紙７２の搬送方向上流側を意味し、「右」、「左」は、搬送方向下流に向かった場合の「右」「左」を意味する。なお、本明細書で使用する「右上」「右下」「左上」「左下」において、同様の意味である。
【００３４】
従って、図５に示す表題欄７４の位置が「左下」であり、図６に示す表題欄７４の位置が「右上」である。また、図７に示す表題欄７４の位置が「左上」であり、図８に示す表題欄７４の位置が「右下」である。
【００３５】
（制御装置１５）
制御装置１５は、図１に示されるように、原稿の読み取りの開始、終了を指示する操作部を備えた原稿操作パネル２８と、画像処理に関する詳細情報を入力及び報知するタッチパネル型の操作パネル３０と、電源を投入又は遮断するための電源スイッチ３４と、メインコントロール部２００（図９参照）を収容するキャビネット３６と、メインコントロール部２００に接続されユーザーが操作するデバイス（ＣＤ、ＤＶＤドライブ等）が集約された操作制御部３８と、を備えている。メインコントロール部２００では、画像処理装置１０全体を一括制御する。
【００３６】
（メインコントロール部２００）
図９は、メインコントロール部２００のハード構成を示すブロック図である。
【００３７】
図９に示されるように、メインコントロール部２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介して原稿操作パネル２８、操作パネル３０が接続されている。
【００３８】
また、Ｉ／Ｏ２１０には、操作制御部３８、ハードディスク（ＨＤ）２１８が接続されている。ＣＰＵ２０４は、ＲＯＭ２０８やハードディスク２１８等に記録されているプログラムに基づいて動作し、メインコントロール部２００の機能を実現する。
【００３９】
Ｉ／Ｏ２１０には、タイマ回路２２０、通信回線Ｉ／Ｆ２２２が接続されている。さらに、Ｉ／Ｏ２１０には、画像読取装置１２（画像読取部１８）、画像形成装置１４（画像形成部４４）、紙折り装置１６の各デバイスが接続されている。
【００４０】
図１０は、メインコントロール部２００における画像データ回転処理制御のための機能ブロック図である。なお、図１０は、画像データ回転処理制御に特化して、機能別にブロック化したものであり、ハード構成を限定するものではない。
【００４１】
図１０に示されるように、操作パネル３０の操作によって入力された紙折り種類情報及び倍率情報は、入力情報取得部１００によって取得されるようになっている。紙折り種類情報とは、具体的には、操作パネル３０の操作によって選択された紙折り種類（例えば、第１折り、第２折り、第３折り）を示す情報である。倍率情報とは、原稿画像サイズ（原稿サイズ)に対する複写される画像サイズ（記録用紙サイズ）を示す情報である。例えば、原稿画像サイズと同じサイズの画像を出力したい場合は、操作パネル３０を通じて、倍率１００％が選択され、拡大して出力したい場合は、操作パネル３０を通じて、１００％を超える倍率が選択される。
【００４２】
画像読取装置１２（画像読取部１８）が読み取った画像データ及び原稿サイズ情報は、原稿情報取得部１１０によって取得されるようになっている。原稿サイズ情報とは、画像サイズから検出された原稿サイズ（例えば、A０縦、A1縦、A2縦、A3縦、A1横、A2横、A3横）を示す情報である。なお、画像読み取りの生産性から、原稿の送り量が少ない横向きで原稿を送ることが一般的であるため、原稿サイズとしては、A1横、A2横、A3横となることが多い。
【００４３】
入力情報取得部１００及び原稿情報取得部１１０は、出力用紙サイズ決定部１１２に接続されている。入力情報取得部１００から出力用紙サイズ決定部１１２へ紙折り種類情報及び倍率情報が送られるようになっている。また、原稿情報取得部１１０から出力用紙サイズ決定部１１２へ原稿サイズ情報が送られるようになっている。
【００４４】
出力用紙サイズ決定部１１２では、入力情報取得部１００からの紙折り種類情報及び倍率情報と、原稿情報取得部１１０からの原稿サイズ情報とに基づき、画像形成装置１４によって出力される記録用紙の用紙サイズ、すなわち、画像が形成される記録用紙の用紙サイズを決定するようになっている。用紙サイズには、例えば、Ａ０縦、Ａ１縦、Ａ２縦、Ａ３縦、Ａ１横、Ａ２横、Ａ３横がある。
【００４５】
具体的には、出力用紙サイズ決定部１１２は、倍率１００％が指定されている場合では、原則として、原稿サイズと同じ記録用紙サイズに決定するようになっている。また、出力用紙サイズ決定部１１２は、紙折り種類として第２折り及び第３折りが選択される場合では、Ａ１横、Ａ２横、Ａ３横において、適切な折り（表題欄が最前面にくる折り）にならないため、原稿サイズがＡ１横、Ａ２横、Ａ３横であっても、Ａ１縦、Ａ２縦、Ａ３縦に決定するようになっている。さらに、出力用紙サイズ決定部１１２は、用紙切れがある場合には、代替の記録用紙サイズに決定するようになっている。例えば、原稿サイズがＡ１横である場合に、Ａ１横の記録用紙が用紙切れを起こしている場合は、Ａ１縦に決定するようになっている。また、出力用紙サイズ決定部１１２は、１００％以外の倍率指定がなされている場合は、出力する画像のサイズに応じて、記録用紙サイズを決定するようになっている。
【００４６】
なお、出力したい記録用紙サイズが操作パネル３０を通じて選択可能となっていてもよい。この場合では、選択された記録用紙サイズのサイズ情報が、入力情報取得部１００で取得されると共に、入力情報取得部１００から出力用紙サイズ決定部１１２に送られ、当該サイズ情報に基づき、出力用紙サイズ決定部１１２が、画像形成装置１４によって出力される記録用紙の用紙サイズを決定するようになっている。
【００４７】
出力用紙サイズ決定部１１２及び入力情報取得部１００は、最適表題欄位置判定部１０２に接続されている。入力情報取得部１００から最適表題欄位置判定部１０２へ紙折り種類情報が送られるようになっている。また、出力用紙サイズ決定部１１２で決定された用紙サイズの用紙サイズ情報が、出力用紙サイズ決定部１１２から最適表題欄位置判定部１０２へ、送られるようになっている。
【００４８】
また、最適表題欄位置判定部１０２は、表題欄位置設定用テーブルメモリ１０４に接続されている。表題欄位置設定用テーブルメモリ１０４には、図４に示すような、用紙サイズと紙折り種類との関係から最適な表題欄の位置を特定するテーブルが記憶されている。
【００４９】
最適表題欄位置判定部１０２では、入力情報取得部１００からの紙折り種類情報と、出力用紙サイズ決定部１１２からの用紙サイズ情報に基づいて、表題欄位置設定用テーブルメモリ１０４に記憶されたテーブル（図４参照）から、最適な表題欄の位置を判定し、その判定結果を表題欄位置比較部１０６へ送るようになっている。例えば、紙折り種類が第１折り、用紙サイズがＡ１縦であれば、最適な表題欄の位置は、「左下」と判定される。
【００５０】
また、原稿情報取得部１１０は、推定部の一例としての表題欄位置推定部１０８に接続されている。原稿情報取得部１１０から表題欄位置推定部１０８へ画像データが送られるようになっている。表題欄位置推定部１０８では、原稿情報取得部１１０からの画像データに基づき、画像データ中にある表題欄の原稿の搬送方向（移動方向）に対する位置を推定し、その推定結果を表題欄位置比較部１０６へ送るようになっている。
【００５１】
具体的には、表題欄位置推定部１０８は、原稿の図面規格によって決まる表題欄の原稿画像に対する位置と、原稿情報取得部１１０が取得した画像データから推定した原稿の天地と、に基づき、画像データ中にある表題欄の原稿の移動方向に対する位置を推定するようになっている。原稿の図面規格によって決まる表題欄の原稿画像に対する位置は、表題欄位置メモリ１１４から読み出されるようになっている。
【００５２】
図面規格は、図１１及び図１２に示されるように、例えば、ISO、Ericsson、French、Afnorなどがある。ISOでは、Ａ０〜Ａ３サイズにおいてＡ０横〜Ａ３横が標準サイズであり、通常、長辺を横方向にした状態で用紙を使用するようになっている。また、ISOでは、Ａ０横〜Ａ３横において、用紙（原稿）の「天（上）」が搬送方向上流側を向いて搬送される場合では、「右下」に表題欄９４が位置し、用紙サイズの違いで表題欄９４の位置が変わることはない。
【００５３】
Ericssonでは、Ａ０〜Ａ３サイズにおいてＡ０横〜Ａ３横が標準サイズである。また、Ericssonでは、Ａ０横〜Ａ３横において、「左上」に表題欄９４が位置し、用紙サイズの違いで表題欄９４の位置が変わることはない。
【００５４】
Frenchでは、Ａ０〜Ａ３サイズにおいてＡ０横〜Ａ３横が標準サイズである。また、Frenchでは、Ａ０横、Ａ３横において「右下」に表題欄９４が位置するのに対して、Ａ１横、Ａ２横において、「左下」に表題欄９４が位置する。すなわち、Frenchでは、用紙サイズの違いで表題欄９４の位置が変わる。
【００５５】
Afnorでは、Ａ０〜Ａ３サイズにおいて、Ａ０縦、Ａ１横、Ａ２縦、Ａ３横が標準サイズである。また、Afnorでは、Ａ０縦、Ａ１横、Ａ２縦、Ａ３横において、「右下」に表題欄９４が位置し、用紙サイズの違いで表題欄９４の位置が変わることはない。
【００５６】
各国や各地域によって、使用される図面規格が通常決まっており、１種類のみ使用する場合では、当該１種類の図面規格が初期設定されていても良い。具体的には、日本では、図面規格としてISOを用いるため、ISOが初期設定される。また、操作者（ユーザー）が操作パネル３０を通じて、図面規格の設定変更をできるようになっている。図面規格の設定変更された情報は、入力情報取得部１００から表題欄位置推定部１０８に送られるようになっている。
【００５７】
さらに、図面規格の規格情報は、ユーザ情報と関連付けて記憶されていてもよい。この構成の場合では、ユーザが利用する際に認証することで、当該ユーザのユーザ情報と関連付けて記憶された図面規格の規格情報が読み出され、図面規格が設定されるようになっている。
【００５８】
表題欄位置推定部１０８は、具体的には、原稿画像中の文字の向きに基づき、原稿の天地を推定するようになっている。原稿画像中の文字としては、具体的には、原稿画像中における図示される領域外に記載された文字が用いられる。図示される領域では、図示された構造物等の寸法を示す数字などが、原稿の天地と一致しない向きに記載される場合があるからである。
【００５９】
図示される領域とは、図１３に示される枠９８内の領域であって、表題欄９４を除く領域（白抜き部分）である。従って、図示される領域外とは、枠９８外の領域及び表題欄９４の領域（斜線部分）である。
【００６０】
文字からの原稿の天地の推定は、いわゆるOCR（光学文字認識）の手法が用いられる。すなわち、予めメモリに記憶された文字パターンと、原稿に記載された画像データ（文字データ）とを照合して、文字データの天地（向き）を割り出し、当該文字の天地を原稿の天地と推定する。
【００６１】
従って、例えば、設定された図面規格がISOであって、原稿の「天」が搬送方向上流側を向いて原稿が搬送される場合では、表題欄の位置は、「左上」となる（図７参照）。原稿の「天」が「右」を向いて原稿が搬送される場合では、表題欄７４の位置は、「左下」となる（図５参照）。
【００６２】
なお、French、Afnorのように、用紙サイズに応じて表題欄９４の位置が変わる図面規格が設定された場合には、表題欄位置推定部１０８は、原稿情報取得部１１０から送られる原稿サイズ情報を参照して、原稿の図面規格によって決まる表題欄９４の原稿画像に対する位置を表題欄位置メモリ１１４から読み出すようになっている。また、FrenchのＡ１サイズ及びＡ２サイズ、AfnorのＡ０サイズ及びＡ２サイズでは、適切な折り（表題欄が最前面にくる折り）ができないため、その旨を報知するように構成されていてもよい。
【００６３】
表題欄位置比較部１０６では、最適表題欄位置判定部１０２が判定した最適な表題欄の位置と、表題欄位置推定部１０８が推定した原稿の表題欄の位置と、を比較し、比較の結果（一致／不一致）が、処理部の一例としての画像回転角度特定部１１６へ送られる。画像回転角度特定部１１６では、画像データの回転角度（反時計回りに０°、９０°、１８０°、２７０°）の何れかが特定される。
【００６４】
例えば、図１４（Ａ）に示されるように、原稿における表題欄位置が「右下」である場合に、最適表題欄位置が「右下」である場合は、図１４（Ｂ）に示されるように、画像回転角度特定部１１６によって、画像データの回転角度が０°（現状位置）に特定される。また、図１４（Ａ）に示されるように、原稿における表題欄位置が「右下」である場合に、最適表題欄位置が「右上」である場合は、図１４（Ｃ）に示されるように、画像回転角度特定部１１６によって、画像データの回転角度が９０°に特定される。
【００６５】
例えば、図１４（Ａ）に示されるように、原稿における表題欄位置が「右下」である場合に、最適表題欄位置が「左上」である場合は、図１４（Ｄ）に示されるように、画像回転角度特定部１１６によって、画像データの回転角度が１８０°に特定される。また、図１４（Ａ）に示されるように、原稿における表題欄位置が「右下」である場合に、最適表題欄位置が「左下」である場合は、図１４（Ｅ）に示されるように、画像回転角度特定部１１６によって、画像データの回転角度が２７０°に特定される。
【００６６】
画像回転角度特定部１１６は、読取画像回転指示部１１８に接続されており、この読取画像回転指示部１１８から画像形成装置１４（画像形成部４４）へ画像データの回転（向きの変更）を指示するようになっている。
【００６７】
（本実施形態の作用）
次に、本実施形態の作用を説明する。
【００６８】
画像読取装置１２の原稿テーブル２０に原稿を置き、画像読取部１８へ送り込む。このとき、原稿は、原稿ガイド２２によって位置合わせされながら、画像読取部１８へ送り込まれる。画像読取部１８では、定速度で搬送されながら（副走査）、ラインセンサで原稿に記憶された画像が読み取られる。
【００６９】
図１５は、画像データ回転処理制御のための手順を示すフローチャートである。
【００７０】
ステップ１５０では、原稿情報取得部１１０及び入力情報取得部１００が、それぞれ、原稿情報及び入力情報を取得したか否かが判定され、否定判定された場合は、この手順（ルーチン）は終了する。
【００７１】
また、ステップ１５０で肯定判定されると、ステップ１５１へ移行して、表題欄位置推定部１０８が、原稿情報取得部１１０が取得した画像データに基づき、画像データ中にある表題欄の原稿の搬送方向（移動方向）に対する位置を推定する。
【００７２】
次に、ステップ１５２に移行して、最適表題欄位置判定部１０２が表題欄位置設定用テーブル（図４参照）を読み出し、次いでステップ１５４へ移行して、最適表題欄位置判定部１０２が、入力情報取得部１００が取得した紙折り種類情報と、出力用紙サイズ決定部１１２が決定した出力用紙サイズ（サイズ情報）と、図４のテーブルとに基づいて、最適表題欄位置を判定する。
【００７３】
次のステップ１５６では、表題欄位置比較部１０６が、最適表題欄位置と、原稿における表題欄位置と、を比較する。このステップ１５６の比較の結果、一致していると判定された場合は、ステップ１５８へ移行して、画像回転角度特定部１１６が画像データの回転角度を０°（すなわち、現状位置）に特定し、ステップ１６２へ移行する。
【００７４】
このステップ１５６の比較の結果、不一致と判定された場合は、ステップ１６０へ移行して、画像回転角度特定部１１６が、最適表題欄位置と原稿における表題欄位置とを一致させる回転角度（９０°、１８０°、２７０°）を特定し、ステップ１６２へ移行する。
【００７５】
ステップ１６２では、決定された画像データの回転角度を画像形成装置１４（画像形成部４４）へ送出し、画像データの回転を指示して、このルーチンは終了する。
【００７６】
画像形成装置１４（画像形成部４４）では、画像読取装置１２（画像読取部１８）で読み取られた画像データが、ステップ１６２で決定された回転角度に回転され、当該画像データに基づき、用紙収容部５０、５２、５４のいずれかから送り出された記録用紙に画像を形成する。このように、本実施形態では、原稿画像が回転処理されて、記録用紙に複写される。そして、画像が形成された記録用紙は、紙折り装置１６によって折り畳まれる。
【００７７】
以上のように、本実施形態では、画像データが回転処理されるので、原稿画像中にある表題欄の位置を考慮して原稿を画像読取部１８に送り込まなくても、原稿画像が複写される記録媒体を折り畳む場合に適切な位置に表題欄が配置されるように、画像が形成される。
【００７８】
(第１変形例)
上記実施形態では、表題欄位置推定部１０８は、原稿の図面規格によって決まる表題欄の原稿画像に対する位置と、原稿情報取得部１１０が取得した画像データから推定した原稿の天地と、に基づき、画像データ中にある表題欄の原稿の移動方向に対する位置を推定していたが、これに替えて又は加えて、画像データ中の枠９８（図１３参照）内にある四角形の線画像に基づき、表題欄の当該位置を推定しても良い。
具体的には、表題欄位置推定部１０８は、枠９８に内接している四角形の線画像が表題欄であるとして、表題欄の当該位置を推定する。枠９８に内接している複数の四角形の線画像がある場合は、四角形の線画像の大きさから表題欄７４を推定する。具体的には、当該複数の線画像の大きさと、予めメモリに記憶された線画像（表題欄）の大きさとを比較し、メモリに記憶された線画像の大きさに近いものを表題欄であるとして、その表題欄の当該位置を推定する。表題欄の大きさとしては、例えば、長手方向長さが、１００ｍｍ、短手方向長さ６０ｍｍ〜７０ｍｍとされる。
なお、表題欄位置推定部１０８は、原稿の図面規格と原稿の天地とによる推定と、四角形の線画像による推定と、を重複して行う場合において、結果が一致しない場合は、いずれかの結果を優先するようになっている。
【００７９】
(第２変形例)
操作パネル３０を通じて、表題欄の原稿の移動方向に対する位置を入力可能な機能を有していても良い。この構成では、例えば、表題欄位置推定部１０８において、画像データ中にある表題欄の原稿の移動方向に対する位置を推定できなかった場合に、操作パネル３０に表題欄の位置の入力を促す表示がなされる。これにより、操作者（ユーザー）が操作パネル３０を通じて、表題欄の原稿の移動方向に対する位置を入力し、これに基づき、画像データの回転角度が特定される。なお、表題欄の位置を推定できなかった場合とは、例えば、原稿画像中の文字が認識できなかった場合などがある。
【００８０】
(第３変形例)
原稿画像のすべてが画像読取部１８によって読み取られる前に、表題欄位置推定部１０８による表題欄の位置の推定、表題欄位置比較部１０６による比較、及び、画像回転角度特定部１１６による画像データの回転角度の特定を実施しても良い。
この構成では、例えば、画像データの回転角度が０°（現状位置）と特定された場合に、原稿画像のすべてが画像読取部１８によって読み取られる前に、記録用紙への画像形成が行われる。なお、本構成では、表題欄位置推定部１０８は、原稿における一部の原稿画像が、画像読取部１８によって読み取られた段階で、当該原稿画像に基づき表題欄７４の位置を推定することになる。
【００８１】
(第４変形例)
表題欄が画像読取部１８に先に送り込まれる向きに原稿をセットするように、操作パネル３０に表示してもよい。この構成によれば、原稿画像のすべてが画像読取部１８によって読み取られる前に、表題欄位置推定部１０８による表題欄の位置の推定が実施可能となる。
【００８２】
(第５変形例)
画像データの回転角度が０°（現状位置）となる向きに原稿をセットするように、操作パネル３０に表示してもよい。この構成によれば、画像データの回転処理が不要となり、画像形成処理の開始が早くなり、生産性が高まる。
【００８３】
本発明は、上記の実施形態に限るものではなく、種々の変形、変更、改良が可能である。例えば、上記に示した変形例は、適宜、複数を組み合わせて構成しても良い。
【符号の説明】
【００８４】
１０   画像処理装置
１２   画像読取装置（読取部の一例）
１４   画像形成装置（画像形成部の一例）
１６   紙折り装置（折り畳み部の一例）
１０８ 表題欄位置推定部（推定部の一例）
１１６ 画像回転角度特定部（処理部の一例）
【図１】
2014023051.tif 000003
【図２】
2014023051.tif 000004
【図３Ａ】
2014023051.tif 000005
【図３Ｂ】
2014023051.tif 000006
【図４】
2014023051.tif 000007
【図５】
2014023051.tif 000008
【図６】
2014023051.tif 000009
【図７】
2014023051.tif 000010
【図８】
2014023051.tif 000011
【図９】
2014023051.tif 000012
【図１０】
2014023051.tif 000013
【図１１】
2014023051.tif 000014
【図１２】
2014023051.tif 000015
【図１３】
2014023051.tif 000016
【図１４】
2014023051.tif 000017
【図１５】
2014023051.tif 000018